(57)【要約】【課題】常時噛み合い式のエンジン始動用動力伝達装置において、一方向クラッチへの粉塵等の侵入を防止し、かつ一方向クラッチへの良好な潤滑を提供する。【解決手段】この装置は、始動用プレート１と、ドライブプレート２と、一方向クラッチ３と、を備えている。始動用プレート１はリングギア７が外周に設けられている。ドライブプレート２は、クランク軸に固定されるとともに、クランク軸の回転をトランスミッション側に伝達する。一方向クラッチ３は、始動用プレート１とドライブプレート２との間に設けられ、始動用プレート１からドライブプレート２へは回転を伝達し、逆の場合は回転を伝達しない。また、一方向クラッチ３は、始動用プレート１に連結された内輪１７と、ドライブプレート２に連結された外輪１８と、複数のローラ１９と、内輪と外輪との間の空間をシールするシール部材２１と、を有している。【選択図】図１
2010281400.tif 000002
【特許請求の範囲】
【請求項１】
スタータモータによって回転するピニオンギアの回転をクランク軸に伝達するとともに、前記クランク軸の回転をトランスミッション側の部材に伝達するエンジン始動用動力伝達装置であって、
前記ピニオンギアが常時噛み合うギア部が外周に設けられた始動用プレートと、
エンジンのクランク軸に固定されるとともに、前記クランク軸の回転を前記トランスミッション側の部材に伝達するための動力伝達用回転部材と、
前記始動用プレートと前記動力伝達用回転部材との間に設けられ、前記始動用プレートから前記動力伝達用回転部材へは回転を伝達し、前記動力伝達用回転部材から前記始動用プレートへの回転は伝達しない一方向クラッチと、
を備え、
前記一方向クラッチは、
前記始動用プレート及び前記動力伝達用回転部材の一方に連結された内輪と、
前記始動用プレート及び前記動力伝達用回転部材の他方に連結された外輪と、
前記内輪と前記外輪との間に配置された複数のローラと、
前記内輪と前記外輪との間でかつ前記複数のローラの軸方向両側に配置され、前記内輪と前記外輪との間の空間をシールする１対のシール部材と、
を有している、
エンジン始動用動力伝達装置。
【請求項２】
前記一方向クラッチを前記動力伝達用回転部材に対して回転自在に支持する軸受をさらに備えた、請求項１に記載のエンジン始動用動力伝達装置。
【請求項３】
前記内輪は前記始動用プレートに固定され、前記外輪は前記動力伝達用回転部材に固定されている、
請求項２に記載のエンジン始動用動力伝達装置。
【請求項４】
前記外輪の一方の側面は前記動力伝達用回転部材の側面に支持されている、請求項３に記載のエンジン始動用動力伝達装置。
【請求項５】
前記複数のローラの軸方向両側において前記複数のローラと前記１対のシール部材のそれぞれとの間に設けられ、前記複数のローラの軸方向の移動を規制する１対のガイド部材をさらに備え、前記１対のガイド部材は前記外輪に固定されている、請求項３又は４に記載のエンジン始動用動力伝達装置。
【請求項６】
前記一方向クラッチの内輪は前記軸受の外周部に圧入されている、請求項５に記載のエンジン始動用動力伝達装置。
【請求項７】
前記動力伝達用回転部材は、前記１対のシール部材の一方の側面を支持している、請求項６に記載のエンジン始動用動力伝達装置。
【請求項８】
前記トランスミッション側の部材はトルクコンバータ組立体を構成するフロントカバーであり、
前記動力伝達用回転部材は前記軸受を支持するとともに、前記一方向クラッチの外輪の外周面を支持する複数の折り曲げ部を有するドライブプレートである、
請求項２に記載のエンジン始動用動力伝達装置。
【請求項９】
前記動力伝達用回転部材はフライホイールであり、前記フライホイールは前記軸受を支持するとともに、前記一方向クラッチの外輪の外周面を支持する支持面を有している、請求項２に記載のエンジン始動用動力伝達装置。
【請求項１０】
前記一方向クラッチのローラの軸方向他方側への移動を規制するサイドカバーをさらに備え、
前記サイドカバーの外周部は折り曲げられて、前記一方向クラッチの外輪の外周部に係止している、
請求項１から９のいずれかに記載のエンジン始動用動力伝達装置。
【請求項１１】
前記ドライブプレートは、外周部に前記トルクコンバータへの複数の装着部を有し、
前記始動用プレートは、径方向において前記複数の装着部と対応する位置に、ドライブプレート装着作業用の孔を有している、
請求項８に記載のエンジン始動用動力伝達装置。
【発明の詳細な説明】
【技術分野】
【０００１】
本発明は、エンジン始動用動力伝達装置、特に、スタータモータによって回転するピニオンギアの回転をクランク軸に伝達するとともに、クランク軸の回転をトルクコンバータに伝達するエンジン始動用動力伝達装置に関する。
【背景技術】
【０００２】
車両においては、フライホイールの外周にリングギアが設けられ、このリングギアにスタータモータのピニオンギアが噛み合うようになっている。そして、スタータモータのピニオンギアは、エンジン始動時のみリングギアに噛み合い、エンジン始動後はリングギアから離れて噛み合いが解除される。
【０００３】
ところで、近年においては、車両が信号待ちで停止しているような場合には、エンジンを停止するアイドリングストップ制御装置が提案され、一部の車両に実施されている。このような制御を実行している車両では、スタート時にスタータモータを作動させてエンジンを再始動する必要がある。このような場合に、従来のスタータ装置を適用すると、エンジン始動に時間がかかるだけでなく、ピニオンギアが頻繁に出没することになり、頻繁に騒音が発生することになって好ましくない。
【０００４】
そこで、特許文献１に示されるような常時噛み合い式のスタータ装置が提供されている。この装置は、外周部にリングギアを有する回転体と、この回転体とフライホイールとの間に設けられた一方向クラッチと、を備えている。そして、スタータモータのピニオンギアが回転体のリングギアに常時噛み合っている。ここでは、エンジン始動時において、スタータモータの回転が、ピニオンギアから回転体に伝達され、一方向クラッチを介してフライホイール及びクランク軸に伝達される。一方、エンジン始動後は、一方向クラッチによってエンジンの回転が回転体に伝わることが防止される。
【先行技術文献】
【特許文献】
【０００５】
【特許文献１】特開２００８−１２１６６０号公報
【発明の概要】
【発明が解決しようとする課題】
【０００６】
この種のエンジン始動用動力伝達装置は、いったん組み込まれてしまうと、メンテナンス作業が困難である。このため、特に一方向クラッチの摩耗を抑えて寿命を長くするためには、一方向クラッチに粉塵が侵入するのを抑え、また良好な潤滑を行う必要がある。
【０００７】
そこで前述の公報に示された装置では、一方向クラッチの径方向外方部分に複数の突出壁を形成し、外部から一方向クラッチに水や粉塵等が侵入するのを抑えている。
【０００８】
しかし、このような構成では、径方向の大型化が避けられず、装置全体を小型化する際の妨げになる。また、一方向クラッチに粉塵等が侵入するのを確実に抑えることができない。また、一方向クラッチを良好に潤滑するという課題が残されている。
【０００９】
本発明の課題は、常時噛み合い式のエンジン始動用動力伝達装置において、特に一方向クラッチへの粉塵等の侵入を確実に防止するとともに、一方向クラッチへの良好な潤滑を提供し、一方向クラッチのメンテナンスフリー化、及び長寿命化を実現することにある。
【課題を解決するための手段】
【００１０】
請求項１に係るエンジン始動用動力伝達装置は、スタータモータによって回転するピニオンギアの回転をクランク軸に伝達するとともに、クランク軸の回転をトランスミッション側の部材に伝達する装置であって、始動用プレートと、動力伝達用回転部材と、一方向クラッチと、を備えている。始動用プレートはピニオンギアが常時噛み合うギア部が外周に設けられている。動力伝達用回転部材は、エンジンのクランク軸に固定されるとともに、クランク軸の回転をトランスミッション側の部材に伝達する。一方向クラッチは、始動用プレートと動力伝達用回転部材との間に設けられ、始動用プレートから動力伝達用回転部材へは回転を伝達し、動力伝達用回転部材から始動用プレートへの回転は伝達しない。また、一方向クラッチは、始動用プレート及び動力伝達用回転部材の一方に連結された内輪と、始動用プレート及び動力伝達用回転部材の他方に連結された外輪と、内輪と外輪との間に配置された複数のローラと、内輪と外輪との間でかつ複数のローラの軸方向両側に配置され内輪と外輪との間の空間をシールする１対のシール部材と、を有している。
【００１１】
ここでは、エンジン始動時には、スタータモータの回転は、ピニオンギアから始動用プレートに伝達され、さらに一方向クラッチを介して動力伝達用回転部材及びクランク軸に伝達される。一方、エンジン始動後は、クランク軸の回転は動力伝達用回転部材を介してトランスミッション側の部材に伝達される。このとき、動力伝達用回転部材と始動用プレートとの間には一方向クラッチが設けられているので、動力伝達用回転部材の回転は始動用プレート側に伝達されない。
【００１２】
以上のような構成において、一方向クラッチのローラの軸方向両側にはシール部材が設けられている。このため、ローラが配置されている部分に粉塵等が侵入するのを防止でき、またローラが配置されている空間にグリス等の潤滑剤を充填しておくことにより、ローラの摩耗を抑えることができる。しかも、従来装置のように外部からの異物が侵入するのを防止するための突出壁が不要になり、小型化が可能になる。
【００１３】
請求項２に係るエンジン始動用動力伝達装置は、請求項１の装置において、一方向クラッチを動力伝達用回転部材に対して回転自在に支持する軸受をさらに備えている。
【００１４】
ここでは、一方向クラッチが軸受によって動力伝達用回転部材に支持されているので、一方向クラッチの芯出しを精度良く行うことができる。
【００１５】
請求項３に係るエンジン始動用動力伝達装置は、請求項２に係る装置において、内輪は始動用プレートに固定され、外輪は動力伝達用回転部材に固定されている。
【００１６】
請求項４に係るエンジン始動用動力伝達装置は、請求項３の装置において、外輪の一方の側面は動力伝達用回転部材の側面に支持されている。ここでは、外輪の側面を支持する部材を動力伝達用回転部材が兼ねているので、軸方向寸法を小型化できる。
【００１７】
請求項５に係るエンジン始動用動力伝達装置は、請求項３又は４の装置において、複数のローラの軸方向両側において複数のローラと１対のシール部材のそれぞれとの間に設けられ、複数のローラの軸方向の移動を規制する１対のガイド部材をさらに備え、１対のガイド部材は外輪に固定されている。
【００１８】
ここでは、外輪に固定された１対のガイド部材によって、複数のローラの軸方向の移動が規制されている。
【００１９】
請求項６に係るエンジン始動用動力伝達装置は、請求項５の装置において、一方向クラッチの内輪は軸受の外周部に圧入されている。
【００２０】
請求項７に係るエンジン始動用動力伝達装置は、請求項６の装置において、動力伝達用回転部材は、１対のシール部材の一方の側面を支持している。ここでは、シール部材の側面を支持する部材を動力伝達用回転部材が兼ねているので、軸方向寸法を小型化できる。
【００２１】
請求項８に係るエンジン始動用動力伝達装置は、請求項２の装置において、トランスミッション側の部材はトルクコンバータ組立体を構成するフロントカバーであり、動力伝達用回転部材は軸受を支持するとともに、一方向クラッチの外輪の外周面を支持する複数の折り曲げ部を有するドライブプレートである。
【００２２】
ここでは、一方向クラッチの外輪の径方向の移動に対する規制を、動力伝達用回転部材の一部によって行っているので、構成が簡単になる。
【００２３】
請求項９に係るエンジン始動用動力伝達装置は、請求項２の装置において、動力伝達用回転部材はフライホイールであり、フライホイールは軸受を支持するとともに、一方向クラッチの外輪の外周面を支持する支持面を有している。
【００２４】
ここでは、一方向クラッチの外輪の径方向の移動に対する規制を、動力伝達用回転部材の一部によって行っているので、構成が簡単になる。
【００２５】
請求項１０に係るエンジン始動用動力伝達装置は、請求項１から９のいずれかの装置において、一方向クラッチのローラの軸方向他方側への移動を規制するサイドカバーをさらに備え、サイドカバーの外周部は折り曲げられて、一方向クラッチの外輪の外周部に係止している。
【００２６】
請求項１１に係るエンジン始動用動力伝達装置は、請求項８の装置において、ドライブプレートは、外周部にトルクコンバータへの複数の装着部を有し、始動用プレートは、径方向において複数の装着部と対応する位置に、ドライブプレート装着作業用の孔を有している。
【００２７】
ドライブプレートとトルクコンバータとの連結は、一般的に、トルクコンバータのケース（フロントカバー）外周部に固定された連結用ボルト部材に、ドライブプレートをセットし、ナット部材を締め付けることによって行われる。このとき、ナット部材を締め付けるための作業が容易になるように、始動用プレートの一部に、作業用の孔が設けられている。このため、組み付け作業が容易になる。
【発明の効果】
【００２８】
以上のような本発明では、常時噛み合い式のエンジン始動用動力伝達装置において、一方向クラッチへの粉塵等の侵入を確実に防止でき、しかも一方向クラッチの良好な潤滑を実現でき、一方向クラッチのメンテナンスフリー化及び長寿命化を図ることができる。
【図面の簡単な説明】
【００２９】
【図１】本発明の第１実施形態によるエンジン始動用動力伝達装置の縦断面図。
【図２】図１の一部拡大図。
【図３】図２のさらに一部拡大図。
【図４】本発明の第２実施形態によるエンジン始動用動力伝達装置の縦断面図。
【発明を実施するための形態】
【００３０】
＜第１実施形態＞
［全体構成］
図１に示すエンジン始動用動力伝達装置は、エンジンの停止及び再始動を自動制御するシステムに適用されるものである。このシステムによれば、例えば、車両が、交差点の赤信号で停車した時、あるいは渋滞等で停車した時に、エンジンは自動的に停止させられ、その後、所定の発進操作に応答して、エンジンが自動的に再始動させられる。なお、図１では、回転中心線（図１のＯ−Ｏ線）の上部のみを示している。そして、図１の左側にエンジンが配置され、右側にトルクコンバータを含むトランスミッションが配置される。
【００３１】
このエンジン始動用動力伝達装置は、始動用プレート１と、動力伝達用回転部材としてのドライブプレート２と、一方向クラッチ３と、軸受４と、を有している。
【００３２】
［始動用プレート］
始動用プレート１は、円板状にプレス成形されたプレート本体６と、プレート本体６の外周部に設けられたリングギア７と、を有している。プレート本体６は、内周部に孔６ａを有するとともに、外周部の全周がトランスミッション側に折り曲げられ、筒状部６ｂが形成されている。リングギア７は、筒状部６ｂの外周に嵌合され、内周部が溶接によりプレート本体６に固定されている。そして、このリングギア７に、スタータモータ８のピニオンギア９が常時噛み合っている。なお、プレート本体６の外周部には、組み付け作業用の複数の孔６ｃが形成されている。
【００３３】
［ドライブプレート］
ドライブプレート２は、内周部がクランク軸１０にボルト１１によって固定される第１ドライブプレート１４と、第１ドライブプレート１４の外周部に固定された第２ドライブプレート１５と、を有している。
【００３４】
第１ドライブプレート１４は、円板状の部材であり、内周部に孔１４ａを有するとともに、外周部にエンジン側に折り曲げて形成された筒状の軸受支持部１４ｂを有している。
【００３５】
第２ドライブプレート１５は、内周部に孔１５ａを有し、外周部に装着用の孔１５ｂを有している。第２ドライブプレート１５の孔１５ａには、第１ドライブプレート１４に形成された段付き部１４ｃが挿入されている。そして、第１ドライブプレート１４の外周部と第２ドライブプレート１５の内周部とが溶接されて、両プレート１４，１５は固定されている。
【００３６】
また、第２ドライブプレート１５には、内周部から半径方向の中間部にかけて、トランスミッション側に凹む凹部１５ｃが形成されている。この凹部１５ｃの半径方向内側端部において、軸受４の内側端部が支持されている。また、凹部１５ｃには、一方向クラッチ３及び軸受４のトランスミッション側の一部が配置されている。
【００３７】
さらに、第２ドライブプレート１５の凹部１５ｃの半径方向外側部分には、円周方向に所定間隔で、複数の切り起こし部１５ｄが形成されている。複数の切り起こし部１５ｄは、第２ドライブプレート１５の一部をエンジン側に切り起こして形成されている。
【００３８】
［一方向クラッチ］
一方向クラッチ３は、内輪１７と、外輪１８と、複数のローラ１９と、を有している。内輪１７は軸受４の外周に圧入されている。また、内輪１７のエンジン側外周端部には、他の部分に比較して小径の段付き部１７ａが形成されており、始動用プレート１の内周端部がこの段付き部１７ａに嵌合されて溶接されている。外輪１８には軸方向に貫通する複数の孔１８ａが形成されており、この孔１８ａを貫通するリベット２０によって、外輪１８が第２ドライブプレート１５に固定されている。そして、外輪１８の外周面のうちのトランスミッション側の一部に第２ドライブプレート１５の切り起こし部１５ｄが係合している。これにより、外輪１８の径方向の位置決めがなされている。また、図２に拡大して示すように、外輪１８の外周面のうちのエンジン側の一部には、さらに径方向外側に突出する係合突起１８ｂが形成されている。
【００３９】
複数のローラ１９は、内輪１７と外輪１８との間において、所定の範囲で円周方向に移動可能である。
【００４０】
また、図２から明らかなように、外輪１８の内周端部には、軸方向の両側に、環状の切欠き部１８ｃが形成されている。そして、この各切欠き１８ｃに、それぞれ断面逆L字状のガイド部材２９が設けられている。ガイド部材２９は、外周部に形成された筒状部２９ａと、筒状部２９ａの一端から径方向内方に延びる規制部２９ｂと、を有している。筒状部２９ａは外輪１８の切欠き１８ｃに嵌合されている。また、規制部２９ｂはローラ１９の軸方向の側面に当接可能であり、ローラ１９が軸方向に移動するのを規制している。
【００４１】
また、１対のガイド部材２９の内部には、それぞれシール部材２１が配置されている。シール部材２１は、芯金部２２と、芯金部２２の外内周部及び外側部（エンジン側のシール部材においてはエンジン側、トランスミッション側のシール部材においてはトランスミッション側）を覆うように設けられた樹脂部２３と、を有している。樹脂部２３の外周はガイド部材２９の筒状部２９ａの内周部に挿入され、内周に設けられたリップ２３ａ部（図３参照）は内輪１７の外周面に摺接している。
【００４２】
ここで、シール部材２１のリップ部の詳細を図３に示している。この図に示すように、リップ部２３ａは、２個所において内輪１７と摺接しており、リップ部２３ａの径方向外方には他の部分との間に隙間Ｇが設けられている。このような隙間Ｇを設けていることにより、シール部材２１が回転してリップ部２３ａに遠心力が作用したとき、リップ部２３ａの内輪１７に対する付勢力が軽減され、リップ部２３ａと内輪１７との間の摩擦抵抗が減少することになる。
【００４３】
以上のような１対のシール部材２１をローラ１９の軸方向両側に配置することにより、内輪１７と外輪１８との間のローラ１９が配置された空間に、外部から粉塵等の異物が侵入するのが防止される。また、この１対のシール部材２１によって囲まれた空間にグリス等の潤滑剤を充填することによって、ローラ１９と内輪１７及び外輪１８との摩擦面を良好に潤滑することができ、各部の摩耗を抑えることができる。
【００４４】
また、一方向クラッチ３のエンジン側の側面には、サイドカバー２４が設けられている。サイドカバー２４はリング状のプレート部材であり、内径は外輪１８の内径よりも小径である。すなわち、サイドカバー２４の内周端部によって、一方のシール部材２１及びガイド部材２９が、外輪１８の切欠き部１８ｃから抜け出るのが防止されている。また、他方のシール部材２１の側方には、図１及び図２から明らかなように、第２ドライブプレート１５が設けられている。すなわち、第２ドライブプレート１５の側面によって、他方のシール部材２１及びガイド部材２９が、外輪１８の切欠き部１８ｃから抜け出るのが防止されている。
【００４５】
なお、サイドカバー２４の外周端部には、図２に示すように、全周にわたってトランスミッション側に折り曲げられ、さらに径方向内側に折り曲げられた係合部２４ａが形成されており、この係合部２４ａが外輪１８の係合突起１８ｂに係合している。
【００４６】
以上のような一方向クラッチ３によって、始動用プレート１（内輪側）の回転速度がドライブプレート２（外輪）側の回転速度より速いときは、始動用プレート１からのトルクがドライブプレート２（クランク軸）側に伝達され、逆の場合は、トルクは伝達されない。したがって、エンジン始動時においては、スタータモータ８の回転は、始動用プレート１→一方向クラッチ３→ドライブプレート２→クランク軸１０の経路で伝達される。一方、エンジン始動後は、クランク軸１０（ドライブプレート２）側の回転速度が速くなるので、エンジンの回転は始動用プレート１には伝達されない。
【００４７】
［軸受］
軸受４は、一方向クラッチ３の内輪１７をドライブプレート２に対して回転自在に支持するために設けられている。また、この軸受４によって一方向クラッチ３が芯出しされて、軸受４の径方向の位置決めがなされている。なお、軸受４は潤滑剤封入タイプであり、軸方向の両側にはシール部材が装着されている。
【００４８】
［組み付け］
以上のエンジン始動用動力伝達装置を組み付ける場合は、まず、エンジン始動用動力伝達装置をクランク軸１０に固定する。すなわち、第１ドライブプレート１４の内周端部をボルト１１によってクランク軸１０に固定する。次に、トルクコンバータ２５をクランク軸１０にセットする。このとき、トルクコンバータ２５の固定用ボルト２６を、第２ドライブプレート１５の装着用の孔１５ｂに挿入する。その後、外周側から、始動用プレート１の組み付け作業用の孔６ｃを介してナット２７を固定用ボルト２６に締め付け、トルクコンバータ２５をドライブプレート２に固定する。
【００４９】
［動作］
まず、エンジン始動時には、スタータモータ８が駆動されて、ピニオンギア９が回転し、この回転はリングギア７を介して始動用プレート１に伝達される。そして、始動用プレート１の回転は、一方向クラッチ３を介してドライブプレート２に伝達される。なお、一方向クラッチ３では、始動用プレート１とともに内輪１７が回転すると、ローラ１９が、内輪１７と外輪１８との空間において隙間の狭い方に移動し、内輪１７と外輪１８との間に挟み込まれ、内輪１７と外輪１８とがロックされる。これにより、始動用プレート１の回転がドライブプレート２側に伝達される。この結果、ドライブプレート２が固定されたクランク軸１０にスタータモータ８の駆動トルクが伝達されて、クランキングが開始される。
【００５０】
エンジン始動後、すなわち、エンジンが自身で回転を始めると、エンジンの回転はドライブプレート２に伝達される。このような状況では、ドライブプレート２に固定された外輪１８の回転速度が内輪１７の回転速度を上回ることになる。すると、ローラ１９は、図示しないスプリングの付勢力に抗して内輪１７と外輪１８の間の空間の広い方に移動し、内輪１７と外輪１８との間で空転することになる。このため、外輪１８から内輪１７へのトルク伝達が遮断される。その結果、ドライブプレート２と始動用プレート１との間が切り離されて、エンジンの回転がスタータモータ８に伝達されるのを防止できる。
【００５１】
以上のような本実施形態では、エンジン側の仕様を変更することなく、エンジンの停止及び再始動を自動制御するシステムを実現することができる。そして、一方向クラッチ３にシール部材２１を設けることによって、一方向クラッチ３の内部に粉塵等の異物が侵入するのを防止でき、かつ一方向クラッチ３の内部に潤滑剤を充填でき、一方向クラッチ３の各部の摩耗を抑えて、長寿命化を図ることができる。
【００５２】
また、この実施形態では、ドライブプレート２によって、軸受４の支持を行うとともに、一方向クラッチ３の軸方向及び径方向の移動を規制することができるので、構成が簡単になる。また、組み付け作業性も良好になる。
【００５３】
さらに、リングギア７、一方向クラッチ３、及び軸受４を除いてプレート材によって構成しているので、安価で軽量な装置を実現することができる。
【００５４】
＜第２実施形態＞
図４に本発明の第２実施形態を示す。第１実施形態では、トルクコンバータを有するオートマチックトランスミッションにおいて本装置を適用したが、第２実施形態では、クラッチ装置を有するマニュアルトランスミッションに本装置を適用している。具体的には、この第２実施形態では、フライホイール３０にエンジン始動用動力伝達装置が組み込まれている。すなわち、第１実施形態のドライブプレートの代わりに、フライホイール３０が設けられ、このフライホイール３０に、一方向クラッチ３及び軸受４が支持されている。第１実施形態と異なる点はフライホイール３０のみであり、他の構成は同様であるので、以下では、フライホイール３０についてのみ説明する。
【００５５】
フライホイール３０は、内周部が図示しないボルトによってクランク軸１０に連結され、図４の左側面に摩擦面３０ａを有している。この摩擦面３０ａに、図示しないクラッチディスク組立体のクラッチディスクが押圧される。また、フライホイール３０の半径方向の中間部には第１支持面３０ｂが形成され、この第１支持面３０ｂに軸受４が圧入されている。さらに、第１支持面３０ｂの径方向外方には、垂直方向に延びる第２支持面３０ｃが形成されている。この第２支持面３０ｃに、一方のシール部材２１の側面と、一方向クラッチ３の外輪１８の側面と、が支持されている。これにより、シール部材２１及び外輪１８の軸方向の移動が規制されている。また、第２支持面３０ｃの外周端部には、水平方向に延びる第３支持面３０ｄが形成されており、外輪１８の外周面がこの第３支持面３０ｄに支持されている。
【００５６】
動作については、第１実施形態と全く同様である。すなわち、エンジン始動時には、スタータモータ８の回転は、ピニオンギア９→リングギア７→始動用プレート１→一方向クラッチ３→フライホイール３０の経路でクランク軸１０に伝達される。また、エンジン始動後は、エンジンの回転は、クランク軸１０からフライホイール３０に伝達され、このフライホイール３０の回転は一方向クラッチ３によって遮断されて、始動プレート１側には伝達されない。
［他の実施形態］
始動用プレートやドライブプレートの形状等は前記実施形態に限定されない。また、一方向クラッチと軸受との配置や固定方法も前記実施形態に限定されるものではない。
【符号の説明】
【００５７】
１  始動用プレート
２  ドライブプレート
３  一方向クラッチ
４  軸受
７  リングギア
８  スタータモータ
９  ピニオンギア
１０  クランク軸
１７  内輪
１８  外輪
１９  ローラ
２１  シール部材
３０  フライホイール
【図１】
2010281400.tif 000003
【図２】
2010281400.tif 000004
【図３】
2010281400.tif 000005
【図４】
2010281400.tif 000006